Podtech/llm-jp-corpus-v4-ja_patent huggingface dataset:
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  放射線を検出する固体撮像素子を備えた放射線撮影装置であって、
前記固体撮像素子に対応する複数の補正情報から補正情報を選択する選択手段とを備え、
前記選択された補正情報を用いて、撮影画像に対して補正処理を行うようにしたことを特徴とする放射線撮影装置。
【請求項２】  前記選択手段は、放射線の線量および前記撮影画像の画素値のいずれか１つに応じて前記複数の補正情報から補正情報を選択するようにしたことを特徴とする請求項１に記載の放射線撮影装置。
【請求項３】  前記固体撮像素子のＩＤ情報に基づいて、前記補正情報を記憶手段から検索し、撮影画像を補正するようにしたことを特徴とする請求項１に記載の放射線撮影装置。
【請求項４】  撮影画像に対するボケ画像を作成する画像処理手段と、前記ボケ画像を格納する記憶手段とを更に備え、
前記選択手段は、前記ボケ画像の画素値に応じて前記補正情報を選択するようにしたことを特徴とする請求項１に記載の放射線撮影装置。
【請求項５】  放射線を検出して得られた撮像画像を補正する放射線画像補正方法であって、
放射線を検出する固体撮像素子に対応する複数の補正データから補正データを選択するステップを有し、
前記選択した補正データを用いて撮影画像を補正することを特徴とする放射線画像補正方法。
【請求項６】  前記放射線を検出する固体撮像素子のＩＤ情報に基づいて前記固体撮像素子の識別情報を取得するステップとを更に備え、予め取得しておいた前記補正データを検索するステップと、該補正データを格納するステップとを有し、撮影画像を補正することを特徴とする請求項５に記載の放射線画像補正方法。
【請求項７】  請求項５又は６に記載の放射線画像補正方法の各ステップをコンピュータに実行させるためのプログラムを記憶したことを特徴とするコンピュータ読み取り可能な記憶媒体。
【手続補正２】
【補正対象書類名】明細書
【補正対象項目名】０００９
【補正方法】変更
【補正の内容】
【０００９】
【課題を解決するための手段】
本発明の放射線撮影装置は、放射線を検出する固体撮像素子を備えた放射線撮影装置であって、前記固体撮像素子に対応する複数の補正情報から補正情報を選択する選択手段とを備え、前記選択された補正情報を用いて、撮影画像に対して補正処理を行うようにしている。
【手続補正３】
【補正対象書類名】明細書
【補正対象項目名】００１０
【補正方法】変更
【補正の内容】
【００１０】
本発明の放射線撮影装置の一態様例においては、前記選択手段は、放射線の線量および前記撮影画像の画素値のいずれか１つに応じて前記複数の補正情報から補正情報を選択するようにしている。
【手続補正４】
【補正対象書類名】明細書
【補正対象項目名】００１１
【補正方法】変更
【補正の内容】
【００１１】
本発明の放射線撮影装置の一態様例においては、前記固体撮像素子のＩＤ情報に基づいて、前記補正情報を記憶手段から検索し、撮影画像を補正するようにしている。
【手続補正５】
【補正対象書類名】明細書
【補正対象項目名】００１２
【補正方法】変更
【補正の内容】
【００１２】
本発明の放射線撮影装置の一態様例においては、撮影画像に対するボケ画像を作成する画像処理手段と、前記ボケ画像を格納する記憶手段とを更に備え、前記選択手段は、前記ボケ画像の画素値に応じて前記補正情報を選択するようにしている。
【手続補正６】
【補正対象書類名】明細書
【補正対象項目名】００１３
【補正方法】変更
【補正の内容】
【００１３】
本発明の放射線画像補正方法は、放射線を検出して得られた撮像画像を補正する放射線画像補正方法であって、放射線を検出する固体撮像素子に対応する複数の補正データから補正データを選択するステップを有し、前記選択した補正データを用いて撮影画像を補正するようにしている。
【手続補正７】
【補正対象書類名】明細書
【補正対象項目名】００１４
【補正方法】変更
【補正の内容】
【００１４】
本発明の放射線画像補正方法の一態様例においては、前記放射線を検出する固体撮像素子のＩＤ情報に基づいて前記固体撮像素子の識別情報を取得するステップとを更に備え、予め取得しておいた前記補正データを検索するステップと、該補正データを格納するステップとを有し、撮影画像を補正するようにしている。
【手続補正８】
【補正対象書類名】明細書
【補正対象項目名】００１５
【補正方法】変更
【補正の内容】
【００１５】
本発明の記憶媒体は、前記放射線画像補正方法の各ステップをコンピュータに実行させるためのプログラムを記憶するようにしている。
【手続補正書】
【提出日】平成19年3月7日(2007.3.7)
【手続補正１】
【補正対象書類名】明細書
【補正対象項目名】特許請求の範囲
【補正方法】変更
【補正の内容】
【特許請求の範囲】
【請求項１】
顔の構成が図で示され、該図上の顔の部位が、鼻、あご、頬の１９部位に分割して表現されていることを特徴とする、化粧料の選択のためのシート。
【請求項２】
脂質分泌の分布状況が盛り込まれていることを特徴とする、請求項１に記載の化粧料の選択のためのシート。
【請求項３】
請求項１又は２に記載の化粧料の選択のためのシートを使用することを特徴とする、部位特異性のある化粧料の選択法。
【請求項４】
鼻とあごに脂質の過剰分泌に対応する化粧料を選択することを特徴とする、請求項３に記載の化粧料の選択法。
【請求項５】
頬部の乾燥に対応する化粧料を選択することを特徴とする、請求項３に記載の化粧料の選択法。
【手続補正２】
【補正対象書類名】明細書
【補正対象項目名】０００６
【補正方法】変更
【補正の内容】
【０００６】
【課題の解決手段】
本発明者らはこの様な状況に鑑みて、より的確で実用に供しうる化粧料の選択法を求めて鋭意研究努力を重ねた結果、鼻とあごに脂質の過剰分泌に対応する化粧料を選択することを特徴とする化粧料の選択、或いは、頬部に乾燥に対応する化粧料を選択することを特徴とする化粧料の選択により、この様な的確な化粧料の選択が可能であることを見いだし発明を完成させた。更に、研究を重ねた結果、これらの選択法を組込み、顔の構成が図で示され、図上の顔の部位が、鼻、あご、頬の１９部位に分割して表現されていることを特徴とする、化粧料の選択のためのシートを作成することにより、的確な選択が容易に行えることを見いだし、発明を完成させるに至った。即ち、本発明は以下に示す技術に関するものである。
（１）  顔の構成が図で示され、該図上の顔の部位が、鼻、あご、頬の１９部位に分割して表現されていることを特徴とする、化粧料の選択のためのシート。
（２）  脂質分泌の分布状況が盛り込まれていることを特徴とする、（１）に記載の化粧料の選択のためのシート。
（３）  （１）又は（２）に記載の化粧料の選択のためのシートを使用することを特徴とする、部位特異性のある化粧料の選択法。
（４）  鼻とあごに脂質の過剰分泌に対応する化粧料を選択することを特徴とする、（３）に記載の化粧料の選択法。
（５）  頬部の乾燥に対応する化粧料を選択することを特徴とする、（３）に記載の化粧料の選択法。以下、本発明について、実施の形態を中心に詳細に説明を加える。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  眼底照明光路と眼底観察撮影光路とを対物レンズに関して瞳孔と共役な位置において分割する眼底カメラにおいて、前眼部像を観察するために前記眼底照明光路に光を分割する部材を配置したことを特徴とする眼底カメラ。
【請求項２】  前記前眼部像及び眼底像を観察するための撮像手段を有することを特徴とする請求項１に記載の眼底カメラ。
【請求項３】  前眼部を照明する波長と眼底を照明する波長とが異なることを特徴とする請求項１に記載の眼底カメラ。
【請求項４】  孔あきミラーの近傍に配置したミラーを介してフォーカス光を眼底に投影するフォーカス光投影系を有し、眼底像を撮影する光路に配置されたフォーカスレンズと前記フォーカス光投影系とを駆動してフォーカスを行う眼底カメラにおいて、同じ焦点距離の２つの凹レンズを前記眼底像を撮影する光路と前記フォーカス光投影系の光路とに前記ミラーに関して対称に配置したことを特徴とする眼底カメラ。
【請求項５】  赤外光により眼底を照明する照明手段と、フォーカスレンズが配置された眼底像を撮影する光路を介して眼底を撮像する第１の撮像手段と、前記眼底像を撮影する光路に設けられた光を分割する部材を介して前眼部を前記撮像手段に撮像する第２の撮像手段と、撮像された眼底像と前眼部像を表示する表示手段と、前記フォーカスレンズと前記光を分割する部材を介して被検眼に固視標を投影する投影手段とを有し、前記表示手段に前眼部を表示する際に前記固視標を被検眼に投影することを特徴とする眼底カメラ。
【請求項６】  赤外光及び可視光の何れか１つにより眼底を選択的に照明する第１の照明手段と、該第１の照明手段の赤外光とは異なる波長の赤外光により前眼部を照明する第２の照明手段と、眼底及び前眼部の何れか１つを選択的に撮像する撮像手段と、前記第１の照明手段の照明光を前記撮像手段に導く第１の光路と、前記第２の照明手段の照明光を前記撮像手段に導く第２の光路とを有することを特徴とする眼底カメラ。
【手続補正２】
【補正対象書類名】明細書
【補正対象項目名】０００９
【補正方法】変更
【補正の内容】
【０００９】
【課題を解決するための手段】
上記目的を達成するための請求項１に記載の発明は、眼底照明光路と眼底観察撮影光路とを対物レンズに関して瞳孔と共役な位置において分割する眼底カメラにおいて、前眼部像を観察するために前記眼底照明光路に光を分割する部材を配置したことを特徴とする眼底カメラである。
【手続補正３】
【補正対象書類名】明細書
【補正対象項目名】００１０
【補正方法】変更
【補正の内容】
【００１０】
請求項２に記載の発明は、前記前眼部像及び眼底像を観察するための撮像手段を有することを特徴とする請求項１に記載の眼底カメラである。
【手続補正４】
【補正対象書類名】明細書
【補正対象項目名】００１１
【補正方法】変更
【補正の内容】
【００１１】
請求項３に記載の発明は、前眼部を照明する波長と眼底を照明する波長とが異なることを特徴とする請求項１に記載の眼底カメラである。
【手続補正５】
【補正対象書類名】明細書
【補正対象項目名】００１２
【補正方法】変更
【補正の内容】
【００１２】
請求項４に記載の発明は、孔あきミラーの近傍に配置したミラーを介してフォーカス光を眼底に投影するフォーカス光投影系を有し、眼底像を撮影する光路に配置されたフォーカスレンズと前記フォーカス光投影系とを駆動してフォーカスを行う眼底カメラにおいて、同じ焦点距離の２つの凹レンズを前記眼底像を撮影する光路と前記フォーカス光投影系の光路とに前記ミラーに関して対称に配置したことを特徴とする眼底カメラである。
【手続補正６】
【補正対象書類名】明細書
【補正対象項目名】００１３
【補正方法】変更
【補正の内容】
【００１３】
請求項５に記載の発明は、赤外光により眼底を照明する照明手段と、フォーカスレンズが配置された眼底像を撮影する光路を介して眼底を撮像する第１の撮像手段と、前記眼底像を撮影する光路に設けられた光を分割する部材を介して前眼部を前記撮像手段に撮像する第２の撮像手段と、撮像された眼底像と前眼部像を表示する表示手段と、前記フォーカスレンズと前記光を分割する部材を介して被検眼に固視標を投影する投影手段とを有し、前記表示手段に前眼部を表示する際に前記固視標を被検眼に投影することを特徴とする眼底カメラである。
【手続補正７】
【補正対象書類名】明細書
【補正対象項目名】００１４
【補正方法】変更
【補正の内容】
【００１４】
請求項６に記載の発明は、赤外光及び可視光の何れか１つにより眼底を選択的に照明する第１の照明手段と、該第１の照明手段の赤外光とは異なる波長の赤外光により前眼部を照明する第２の照明手段と、眼底及び前眼部の何れか１つを選択的に撮像する撮像手段と、前記第１の照明手段の照明光を前記撮像手段に導く第１の光路と、前記第２の照明手段の照明光を前記撮像手段に導く第２の光路とを有することを特徴とする眼底カメラである。
【手続補正書】
【提出日】平成19年4月10日(2007.4.10)
【手続補正１】
【補正対象書類名】明細書
【補正対象項目名】特許請求の範囲
【補正方法】変更
【補正の内容】
【特許請求の範囲】
【請求項１】  原水を固液分離するととともに、原水中の汚染物を生物学的に処理する水処理装置であり、分離槽と、分離槽内に備えられた分離膜モジュールと、分離膜モジュールの下方の分離槽内に備えられ、分離膜モジュールに向けて酸素含有気体を発生する散気手段とを有し、分離槽内の分離膜モジュールの側方の一部には、
炭素繊維からなる横糸が互いに略平行にシート状に配列され、前記横糸の配列間隔が１列以上の縦糸によって保持されたシート状物であり、前記縦糸がラッセル編みを形成していて、編み目には前記横糸が通されて固定されている炭素繊維シート状物により構成された炭素繊維ユニットが備えられている水処理装置。
【請求項２】  請求項１に記載の水処理装置を備えていることを特徴とする水処理システム。
【手続補正２】
【補正対象書類名】明細書
【補正対象項目名】０００５
【補正方法】変更
【補正の内容】
【０００５】
【課題を解決するための手段】
本発明の水処理装置は、原水を固液分離するととともに、原水中の汚染物を生物学的に処理する水処理装置であり、分離槽と、分離槽内に備えられた分離膜モジュールと、分離膜モジュールの下方の分離槽内に備えられ、分離膜モジュールに向けて酸素含有気体を発生する散気手段とを有し、分離槽内の分離膜モジュールの側方の一部には、
炭素繊維からなる横糸が互いに略平行にシート状に配列され、これら横糸の配列間隔が１列以上の縦糸によって保持されたシート状物であり、前記縦糸がラッセル編みを形成していて、編み目には横糸が通されて固定されている炭素繊維シート状物により構成された炭素繊維ユニットが備えられている水処理装置である。また、本発明の水処理システムは、上記の水処理装置を備えていることを特徴とする。
【手続補正書】
【提出日】平成19年4月10日(2007.4.10)
【手続補正１】
【補正対象書類名】明細書
【補正対象項目名】特許請求の範囲
【補正方法】変更
【補正の内容】
【特許請求の範囲】
【請求項１】  原水を固液分離する分離膜モジュールが膜分離槽内に備えられた浸漬型膜分離装置であり、膜分離槽内には、さらに以下の炭素繊維ユニットが具備されていることを特徴とする浸漬型膜分離装置。
炭素繊維ユニットは、複数本の炭素繊維がシート状に配列された炭素繊維シート状物からなり、炭素繊維シート状物は、炭素繊維からなる横糸が互いに略平行にシート状に配列され、前記横糸の配列間隔が１列以上の縦糸によって保持されたシート状物であり、前記縦糸がラッセル編みを形成していて、編み目には前記横糸が通されて固定されている。
【請求項２】  請求項１に記載の水処理装置を備えていることを特徴とする水処理システム。
【手続補正２】
【補正対象書類名】明細書
【補正対象項目名】０００５
【補正方法】変更
【補正の内容】
【０００５】
【課題を解決するための手段】
本発明の浸漬型膜分離装置は、原水を固液分離する分離膜モジュールが膜分離槽内に備えられた浸漬型膜分離装置であり、膜分離槽内には、さらに以下の炭素繊維ユニットが具備されていることを特徴とする浸漬型膜分離装置である。そして、炭素繊維ユニットは、複数本の炭素繊維がシート状に配列された炭素繊維シート状物からなり、炭素繊維シート状物は、炭素繊維からなる横糸が互いに略平行にシート状に配列され、これら横糸の配列間隔が１列以上の縦糸によって保持されたシート状物であり、前記縦糸がラッセル編みを形成していて、編み目には横糸が通されて固定されている。また、本発明の浄水システムは、上記の浸漬型膜分離装置を備えていることを特徴とする。
【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】
ボックスベースとボックスカバーとを有する遊技機用基板ボックス内に回路基板を被包して封印するための遊技機用基板ボックス封印ユニットを備えた遊技機において、
遊技機用基板ボックス封印ユニットは、前記ボックスベースの側面部に配設される第１封印部材と、前記ボックスカバーの側面部に配設される第２封印部材と、前記第１封印部材および第２封印部材を連結する連結保持部材とを備え、その連結保持部材により、前記第１封印部材および第２封印部材を連結し前記遊技機用基板ボックスを封印するものであって、
前記連結状態の第１封印部材および第２封印部材の少なくとも一部を被覆する被覆部材を備えたことを特徴とする遊技機。
【請求項２】
前記被覆部材は、前記封印部材の周囲に板状部材を配設して形成されていることを特徴とする請求項１に記載の遊技機。
【請求項３】
前記被覆部材の形成範囲は、
少なくとも前記第１封印部材及び第２封印部材の連結方向において、
前記第１封印部材及び第２封印部材の少なくとも一部に係止される前記連結保持部材の係止部の形成範囲を含むことを特徴とする請求項１又は２に記載の遊技機。
【請求項４】
前記被覆部材の形成範囲は、
少なくとも前記第１封印部材及び第２封印部材の連結方向と直交する方向において、
前記第１封印部材及び第２封印部材の少なくとも一部に係止される前記連結保持部材の係止部の形成範囲を含むことを特徴とする請求項１乃至３のいずれか一項に記載の遊技機。
【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】
導波路基板と、
コアおよび溝に対して前記導波路基板に沿って延びるクラッド層により形成された第１および第２の光伝送導波路であって、前記第１および第２の導波路間の光学的結合が、前記溝において示される光学的な特性に依存するように配置されている第１および第２の光伝送導波路と、
前記溝に対して第１の位置および第２の位置を備えた移動可能なデバイスであって、前記移動可能なデバイスが前記第２の位置にあるとき、前記第１および第２の導波路が、光学的に結合され、また、前記移動可能なデバイスが前記第１の位置にあるとき、光学的に分離される、移動可能なデバイスと、
前記第１の位置と前記第２の位置との間で前記移動可能なデバイスを操作するアクチュエータと
を備える光学的スイッチング素子。
【請求項２】
前記導波路基板上の前記コア層により形成された第３の光伝送導波路をさらに備え、
前記第３の導波路が、前記第１の導波路とは反対側の前記溝の片側で前記溝に交差し、前記移動可能なデバイスが前記第１の位置にあるとき、前記第１および第３の導波路が光学的に結合される、
請求項１に記載の光学的スイッチング素子。
【請求項３】
前記移動可能なデバイスが、微小加工された反射鏡である、請求項１または２に記載の光学的スイッチング素子。
【請求項４】
操作を行う前記アクチュエータが、マイクロ−エレクトロメカニカル・システムである、請求項３に記載の光学的スイッチング素子。
【請求項５】
前記微小加工された反射鏡が、十分な移動を行うために前記アクチュエータにより制御され、前記第１の位置が前記溝内にあり、かつ前記第２の位置が前記溝外にある、請求項３に記載の光学的スイッチング素子。
【請求項６】
前記微小加工された反射鏡が、前記アクチュエータにより制御されて前記第１および第２の間で前記溝内をスライドし、前記微小加工された反射鏡が前記溝内に残る、請求項３に記載の光学的スイッチング素子。
【請求項７】
前記溝内に液体を設け、前記液体が、前記第１および第２の導波路の屈折率と同様の屈折率を備えている、請求項１〜６のいずれか一項に記載の光学的スイッチング素子。
【請求項８】
導波路基板上に複数の光伝送導波路を形成し、その際前記導波路の交差点に溝を形成して、離間された第１および第２の導波路に対する入力導波路の光学結合が、前記交差点の光学的特性に依存するようにする工程と、
第１の位置と第２の位置との間で移動可能な微小反射鏡を設ける工程と、
前記交差点において前記第１の位置に前記微小反射鏡を移動させて前記入力導波路を前記第２の導波路に光学的に結合し、さらに、前記交差点から前記微小反射鏡を移動させて前記入力導波路を前記第１の導波路に光学的に結合して前記微小反射鏡を操作することにより前記入力導波路を切り換える工程と
を含む光信号送信方法。
【請求項９】
前記入力導波路を切り換える工程が、ドット・マトリックス・プリンタ・エンジンにおける印刷部材を操作するのに用いられる技術と等価な反射鏡移動技術を用いることを含んでいる、請求項８に記載の光信号送信方法。
【請求項１０】
前記溝に液体を充填する工程をさらに含む請求項８または９に記載の光信号送信方法。
【手続補正書】
【提出日】平成18年11月8日(2006.11.8)
【手続補正１】
【補正対象書類名】明細書
【補正対象項目名】発明の名称
【補正方法】変更
【補正の内容】
【発明の名称】文書作成装置、文書作成方法及び記憶媒体
【手続補正２】
【補正対象書類名】明細書
【補正対象項目名】特許請求の範囲
【補正方法】変更
【補正の内容】
【特許請求の範囲】
【請求項１】
複数のセルに文書を入力して文書を作成する文書作成装置であって、
前記複数のセルに対する選択操作に基づいて、前または次のセルへのポインタを順に設定して記憶媒体に管理することにより、前記複数のセルを連結して管理する管理手段と、
前記複数のセルのうち１つを消去対象として選択する選択手段と、
前記消去対象セルの前または次のセルに対して、前記記憶媒体で管理している前または次のセルへのポインタを更新する更新手段と、
前記更新手段による更新の後、前記消去対象セルを消去する消去手段と
を備えることを特徴とする文書作成装置。
【請求項２】
文字データが、前記連結されたセルの内、末尾のセルに入り切らない場合は、前記末尾のセルを予め定められたアイコンとともに表示装置に表示するよう制御する表示制御手段を更に備える
ことを特徴とする請求項１に記載の文書作成装置。
【請求項３】
前記連結されたセルを予め定められたアイコンとともに表示装置に表示するよう制御する表示制御手段を更に備える
ことを特徴とする請求項１または２に記載の文書作成装置。
【請求項４】
複数のセルに文書を入力して文書を作成する文書作成方法であって、
管理手段が、前記複数のセルに対する選択操作に基づいて、前または次のセルへのポインタを順に設定して記憶媒体に管理することにより、前記複数のセルを連結して管理する管理ステップと、
選択手段が、前記複数のセルのうち１つを消去対象として選択する選択ステップと、
更新手段が、前記消去対象セルの前または次のセルに対して、前記記憶媒体で管理している前または次のセルへのポインタを更新する更新ステップと、
消去手段が、前記更新の後、前記消去対象セルを消去する消去ステップと
を備えることを特徴とする文書作成方法。
【請求項５】
コンピュータに、複数のセルに文書を入力して文書を作成する文書作成処理を実行させるためのプログラムを前記コンピュータに読み取り可能に記憶した記憶媒体であって、
管理手段が、前記複数のセルに対する選択操作に基づいて、前または次のセルへのポインタを順に設定して記憶媒体に管理することにより、前記複数のセルを連結して管理する管理ステップと、
選択手段が、前記複数のセルのうち１つを消去対象として選択する選択ステップと、
更新手段が、前記消去対象セルの前または次のセルに対して、前記記憶媒体で管理している前または次のセルへのポインタを更新する更新ステップと、
消去手段が、前記更新の後、前記消去対象セルを消去する消去ステップと
を実行させるためのプログラムを前記コンピュータに読み取り可能に記憶した記憶媒体。
【手続補正３】
【補正対象書類名】明細書
【補正対象項目名】０００９
【補正方法】変更
【補正の内容】
【０００９】
【課題を解決するための手段】
上記の目的を達成するための本発明による文書作成装置は以下の構成を備える。即ち、
複数のセルに文書を入力して文書を作成する文書作成装置であって、
前記複数のセルに対する選択操作に基づいて、前または次のセルへのポインタを順に設定して記憶媒体に管理することにより、前記複数のセルを連結して管理する管理手段と、
前記複数のセルのうち１つを消去対象として選択する選択手段と、
前記消去対象セルの前または次のセルに対して、前記記憶媒体で管理している前または次のセルへのポインタを更新する更新手段と、
前記更新手段による更新の後、前記消去対象セルを消去する消去手段と
を備える。
【手続補正４】
【補正対象書類名】明細書
【補正対象項目名】００１０
【補正方法】変更
【補正の内容】
【００１０】
また、好ましくは、文字データが、前記連結されたセルの内、末尾のセルに入り切らない場合は、前記末尾のセルを予め定められたアイコンとともに表示装置に表示するよう制御する表示制御手段を更に備える。
【手続補正５】
【補正対象書類名】明細書
【補正対象項目名】００１１
【補正方法】変更
【補正の内容】
【００１１】
また、好ましくは、前記連結されたセルを予め定められたアイコンとともに表示装置に表示するよう制御する表示制御手段を更に備える。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
上記の目的を達成するための本発明による文書作成方法は以下の構成を備える。即ち、
複数のセルに文書を入力して文書を作成する文書作成方法であって、
管理手段が、前記複数のセルに対する選択操作に基づいて、前または次のセルへのポインタを順に設定して記憶媒体に管理することにより、前記複数のセルを連結して管理する管理ステップと、
選択手段が、前記複数のセルのうち１つを消去対象として選択する選択ステップと、
更新手段が、前記消去対象セルの前または次のセルに対して、前記記憶媒体で管理している前または次のセルへのポインタを更新する更新ステップと、
消去手段が、前記更新の後、前記消去対象セルを消去する消去ステップと
を備えることを特徴とする文書作成方法。
【手続補正１３】
【補正対象書類名】明細書
【補正対象項目名】００１９
【補正方法】変更
【補正の内容】
【００１９】
上記の目的を達成するための本発明による記憶媒体は以下の構成を備える。即ち、
コンピュータに、複数のセルに文書を入力して文書を作成する文書作成処理を実行させるためのプログラムを前記コンピュータに読み取り可能に記憶した記憶媒体であって、
管理手段が、前記複数のセルに対する選択操作に基づいて、前または次のセルへのポインタを順に設定して記憶媒体に管理することにより、前記複数のセルを連結して管理する管理ステップと、
選択手段が、前記複数のセルのうち１つを消去対象として選択する選択ステップと、
更新手段が、前記消去対象セルの前または次のセルに対して、前記記憶媒体で管理している前または次のセルへのポインタを更新する更新ステップと、
消去手段が、前記更新の後、前記消去対象セルを消去するステップと
を実行させるためのプログラムを前記コンピュータに読み取り可能に記憶した記憶媒体。
【手続補正１４】
【補正対象書類名】明細書
【補正対象項目名】０１１８
【補正方法】変更
【補正の内容】
【０１１８】
以上説明したように、本発明によれば、セルの操作を容易に、かつ効率的に実行することができる。
【手続補正書】
【提出日】平成19年2月7日(2007.2.7)
【手続補正１】
【補正対象書類名】明細書
【補正対象項目名】発明の名称
【補正方法】変更
【補正の内容】
【発明の名称】編集装置、編集方法、不揮発性メモリ、および再生装置
【手続補正２】
【補正対象書類名】明細書
【補正対象項目名】特許請求の範囲
【補正方法】変更
【補正の内容】
【特許請求の範囲】
【請求項１】  不揮発性メモリに記録されるプログラムのダイジェスト部分を編集する編集装置において、
ダイジェスト部の開始位置と終了位置をユーザが入力するための入力手段と、
上記開始位置および終了位置にしたがってダイジェスト部の開始アドレスおよびダイジェスト期間情報を生成する生成手段と、
上記ダイジェスト部の開始アドレスおよびダイジェスト期間情報を不揮発性メモリに対して記録する記録手段と
からなる編集装置。
【請求項２】  上記プログラムは複数のブロックに分割され、上記複数に分割されたブロックの１つは管理領域として用いられ、上記開始アドレスおよびダイジェスト期間情報が上記管理領域に記録されることを特徴とする請求項１記載の編集装置。
【請求項３】  上記ユーザーによるダイジェスト部の開始位置および終了
位置の入力は同一キーの２度の操作で指定されることを特徴とする請求項１記載の編集装置。
【請求項４】  上記キーはインデックスキーであることを特徴とする請求項３記載の編集装置。
【請求項５】  上記キーは再生キーであることを特徴とする請求項３記載の編集装置。
【請求項６】  上記不揮発性メモリに記録されたプログラムは複数のアルバムにカテゴライズされ、上記各々のアルバムに対するダイジェスト情報が記載される再生管理ファイル領域を更に備えてなる請求項１記載の編集装置。
【請求項７】  不揮発性メモリに記録されるプログラムのダイジェスト部を編集する編集方法において、
ダイジェスト部の開始位置と終了位置をユーザが入力する入力ステップと、
上記開始位置および終了位置にしたがってダイジェスト部の開始アドレスおよびダイジェスト期間情報を生成する生成ステップと、
上記ダイジェスト部の開始アドレスおよびダイジェスト期間情報を不揮発性メモリに対して記録する記録ステップと
からなる編集方法。
【請求項８】  複数のブロックから構成されるプログラムが記録された不揮発性メモリにおいて、
上記複数のブロックの１つは属性情報が記録される属性情報記録領域として用いられ、上記他のブロックの各々はヘッダ部とメインデータ部とから構成され、ユーザによって指定されたプログラムのダイジェスト部の開始アドレスとダイ
ジェスト期間情報を上記属性情報記録領域に記録した不揮発性メモリ。
【請求項９】  記録されたプログラムは複数のアルバムにカテゴライズされ、上記各々のアルバムに対するダイジェスト情報が記録される再生管理ファイル領域を更に備えてなる第８項記載の不揮発性メモリ。
【請求項１０】
複数のプログラムとプログラムのダイジェスト部分を示すダイジェスト情報を含む管理情報を記憶するメモリと
上記プログラムのダイジェスト部分の再生を指示する指示手段と、
上記プログラムのダイジェスト部分を再生する再生手段と、
上記指示手段によりダイジェスト部分の再生する指示が入力された場合、複数のプログラムのダイジェスト部分を連続的に再生するように上記再生手段を制御する制御手段と
を備える再生装置。
【請求項１１】
複数の上記プログラムは、複数のアルバムにそれぞれ属するように管理され、上記管理情報は上記アルバムを代表するアルバムダイジェスト情報を含むことを特徴とする請求項１０に記載の再生装置。
【請求項１２】
上記再生手段は、上記アルバムダイジェストを再生することを特徴とする請求項１１に記載の再生装置。
【請求項１３】
上記プログラムのダイジェストを編集するダイジェスト編集手段を備え、
上記指定手段は、上記プログラムが再生されるときダイジェスト位置を指定し、上記ダイジェスト変種手段は、指定されたダイジェスト位置に基づいて該プログラムのダイジェスト情報を編集することを特徴とする請求項１０に記載の再生装置。
【請求項１４】
上記ダイジェスト位置の指定は、同じキーを２回操作することで入力されることを特徴とする請求項１３に記載の再生装置。
【手続補正３】
【補正対象書類名】明細書
【補正対象項目名】０００１
【補正方法】変更
【補正の内容】
【０００１】
【発明の属する技術分野】
この発明は、プログラム／アルバムに関するダイジェスト部分をユーザーによって指定し、指定されたダイジェスト部分の位置、期間を管理領域に記録する編集装置、編集方法、不揮発性メモリ、および再生装置に関する。
【手続補正４】
【補正対象書類名】明細書
【補正対象項目名】０００８
【補正方法】変更
【補正の内容】
【０００８】
従って、この発明の目的は、ユーザが指定した曲のダイジェスト情報を不揮発性メモリに記録するようにした編集装置、編集方法、不揮発性メモリ、および再生装置を提供することにある。
【手続補正５】
【補正対象書類名】明細書
【補正対象項目名】０００９
【補正方法】変更
【補正の内容】
【０００９】
この発明の他の目的は、一つの不揮発性メモリに記録された複数のアルバムのダイジェスト部を記録することが可能な編集装置、編集方法、不揮発性メモリ、および再生装置を提供することにある。
【手続補正６】
【補正対象書類名】明細書
【補正対象項目名】００１２
【補正方法】変更
【補正の内容】
【００１２】
請求項８の発明は、複数のブロックから構成されるプログラムが記録された不揮発性メモリにおいて、
複数のブロックの１つは属性情報が記録される属性情報記録領域として用いられ、他のブロックの各々はヘッダ部とメインデータ部とから構成され、
ユーザによって指定されたプログラムのダイジェスト部の開始アドレスとダイジェスト期間情報を属性情報記録領域に記録した不揮発性メモリである。
請求項１０の発明は、複数のプログラムとプログラムのダイジェスト部分を示すダイジェスト情報を含む管理情報を記憶するメモリと
プログラムのダイジェスト部分の再生を指示する指示手段と、
プログラムのダイジェスト部分を再生する再生手段と、
指示手段によりダイジェスト部分の再生する指示が入力された場合、複数のプログラムのダイジェスト部分を連続的に再生するように再生手段を制御する制御手段と
を備える再生装置である。
【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  ネットワーク上の外部情報を取得する情報フィルタリング装置であって、
前記外部情報へのアクセス時刻を抽出する抽出手段と、
前記外部情報へのアクセス時刻が、所定の時間帯のアクセスかどうかを判定する判定手段と、
前記判定手段による判定結果に基づいて、外部情報を取得する外部情報取得手段とを含む、情報フィルタリング装置。
【請求項２】  前記判定手段は、取得した外部情報のデータ量を取得時間毎に計測するための計測手段と、
前記計測手段によって計測された取得時間毎のデータ量を参照し、前記外部情報を取得する可能性が少ない時間帯にアクセスが発生したか否かを解析するための解析手段とを含む、請求項１記載の情報フィルタリング装置。
【請求項３】  前記情報フィルタリング装置はさらに、アクセスを禁止する情報を格納するための格納手段を含み、
前記判定手段はさらに、解析手段によってアクセスが不可であると判定された場合に、当該情報を前記格納手段に格納するための更新手段を含む、請求項２記載の情報フィルタリング装置。
【請求項４】  前記外部情報取得手段は、前記格納手段に格納されたアクセスを禁止する情報を参照して、外部情報を取得する、請求項３記載の情報フィルタリング装置。
【請求項５】  ネットワーク上の外部情報を取得する情報フィルタリング方法であって、
前記外部情報へのアクセス時刻を抽出するステップと、
前記外部情報へのアクセス時刻が、所定の時間帯のアクセスかどうかを判定するステップと、
前記判定結果に基づいて、外部情報を取得するステップとを含む、情報フィルタリング方法。
【請求項６】  ネットワーク上の外部情報を取得する情報フィルタリングプログラムを記録した媒体であって、
前記外部情報へのアクセス時刻を抽出するステップと、
前記外部情報へのアクセス時刻が、所定の時間帯のアクセスかどうかを判定するステップと、
前記判定結果に基づいて、外部情報を取得するステップとを含む、情報フィルタリングプログラムを記録したコンピュータによって読み取り可能な記録媒体。
【手続補正２】
【補正対象書類名】明細書
【補正対象項目名】０００９
【補正方法】変更
【補正の内容】
【０００９】
【課題を解決するための手段】
本発明のある局面に従えば、ネットワーク上の外部情報を取得する情報フィルタリング装置であって、外部情報へのアクセス時刻を抽出する抽出手段と、外部情報へのアクセス時刻が、所定の時間帯のアクセスかどうかを判定する判定手段と、判定手段による判定結果に基づいて、外部情報を取得する外部情報取得手段とを含む。
【手続補正３】
【補正対象書類名】明細書
【補正対象項目名】００１０
【補正方法】変更
【補正の内容】
【００１０】
判定手段は、外部情報へのアクセス時刻が、所定の時間帯のアクセスかどうかによってアクセスの可否を判定するので、巨大な画像ファイルや情報処理装置にとってセキュリティ上問題のあるプログラムを自動的に取得することを防止することが可能となる。
【手続補正４】
【補正対象書類名】明細書
【補正対象項目名】００１１
【補正方法】変更
【補正の内容】
【００１１】
本発明の別の局面に従えば、判定手段は、取得した外部情報のデータ量を取得時間毎に計測するための計測手段と、計測手段によって計測された取得時間毎のデータ量を参照し、外部情報を取得する可能性が少ない時間帯にアクセスが発生したか否かを解析するための解析手段とを含む。
【手続補正５】
【補正対象書類名】明細書
【補正対象項目名】００１５
【補正方法】変更
【補正の内容】
【００１５】
本発明のさらに別の局面に従えば、外部情報取得手段は、格納手段に格納されたアクセスを禁止する情報を参照して、外部情報を取得する。
【手続補正６】
【補正対象書類名】明細書
【補正対象項目名】００１６
【補正方法】変更
【補正の内容】
【００１６】
外部情報取得手段は、格納手段に格納されたアクセスを禁止する情報を参照して、外部情報を取得するので、外部情報を取得する可能性が少ない時間帯以外の時間帯にアクセスが発生した場合であっても、セキュリティ上問題のあるプログラムを取得するアクセスであるか否かを的確に判定することが可能となる。
【手続補正７】
【補正対象書類名】明細書
【補正対象項目名】００１７
【補正方法】変更
【補正の内容】
【００１７】
本発明のさらに別の局面に従えば、ネットワーク上の外部情報を取得する情報フィルタリング方法であって、外部情報へのアクセス時刻を抽出するステップと、外部情報へのアクセス時刻が、所定の時間帯のアクセスかどうかを判定するステップと、判定結果に基づいて、外部情報を取得するステップとを含む。
【手続補正８】
【補正対象書類名】明細書
【補正対象項目名】００１８
【補正方法】変更
【補正の内容】
【００１８】
外部情報へのアクセス時刻が、所定の時間帯のアクセスかどうかによってアクセスの可否を判定するので、巨大な画像ファイルや情報処理装置にとってセキュリティ上問題のあるプログラムを自動的に取得することを防止することが可能となる。
【手続補正９】
【補正対象書類名】明細書
【補正対象項目名】００１９
【補正方法】変更
【補正の内容】
【００１９】
本発明のさらに別の局面に従えば、ネットワーク上の外部情報を取得する情報フィルタリングプログラムを記録した媒体であって、外部情報へのアクセス時刻を抽出するステップと、外部情報へのアクセス時刻が、所定の時間帯のアクセスかどうかを判定するステップと、判定結果に基づいて、外部情報を取得するステップとを含む。
【手続補正１０】
【補正対象書類名】明細書
【補正対象項目名】００２０
【補正方法】変更
【補正の内容】
【００２０】
外部情報へのアクセス時刻が、所定の時間帯のアクセスかどうかによってアクセスの可否を判定するので、巨大な画像ファイルや情報処理装置にとってセキュリティ上問題のあるプログラムを自動的に取得することを防止することが可能となる。
【手続補正書】
【提出日】平成18年11月8日(2006.11.8)
【手続補正１】
【補正対象書類名】明細書
【補正対象項目名】特許請求の範囲
【補正方法】変更
【補正の内容】
【特許請求の範囲】
【請求項１】
複数の文字領域を含む文書を処理するための文書処理装置であって、
前記文字領域のうち、相互に接して配置された文字領域を検出する検出手段と、
前記検出された相互に接して配置された文字領域を、一の文字領域として設定する設定手段と、
を備えたことを特徴とする文書処理装置。
【請求項２】
前記一の文字領域として設定された文字領域の境界部分に文字を配置する配置手段を備えたことを特徴とする請求項１に記載の文書処理装置。
【請求項３】
前記検出手段は、横書きの文字領域であって、上下方向に接して配置された文字領域を検出することを特徴とする請求項１又は２に記載の文書処理装置。
【請求項４】
前記検出手段は、縦書きの文字領域であって、左右方向に接して配置された文字領域を検出することを特徴とする請求項１乃至３のいずれか１項に記載の文書処理装置。
【請求項５】
前記検出手段は、相互に接して配置された文字領域のうち、該文字領域間の境界に沿って余白が設定されていない文字領域を検出することを特徴とする請求項１乃至４のいずれか１項に記載の文書処理装置。
【請求項６】
複数の文字領域を含む文書を処理するための文書処理方法であって、
前記文字領域のうち、相互に接して配置された文字領域を検出する検出工程と、
前記検出された相互に接して配置された文字領域を、一の文字領域として設定する設定工程と、
を含むことを特徴とする文書処理方法。
【請求項７】
前記一の文字領域として設定された文字領域の境界部分に文字を配置する配置工程を備えたことを特徴とする請求項６に記載の文書処理方法。
【請求項８】
前記検出工程では、横書きの文字領域であって、上下方向に接して配置された文字領域を検出することを特徴とする請求項６又は７に記載の文書処理方法。
【請求項９】
前記検出工程では、縦書きの文字領域であって、左右方向に接して配置された文字領域を検出することを特徴とする請求項６乃至８のいずれか１項に記載の文書処理方法。
【請求項１０】
前記検出工程では、相互に接して配置された文字領域のうち、該文字領域間の境界に沿って余白が設定されていない文字領域を検出することを特徴とする請求項６乃至９のいずれか１項に記載の文書処理方法。
【請求項１１】
複数の文字領域を含む文書を処理するために、コンピュータを、
前記文字領域のうち、相互に接して配置された文字領域を検出する検出手段、
前記検出された相互に接して配置された文字領域を、一の文字領域として設定する設定手段、
として機能させるプログラムを記録した記録媒体。
【手続補正２】
【補正対象書類名】明細書
【補正対象項目名】０００８
【補正方法】変更
【補正の内容】
【０００８】
【課題を解決するための手段】
本発明によれば、複数の文字領域を含む文書を処理するための文書処理装置であって、前記文字領域のうち、相互に接して配置された文字領域を検出する検出手段と、前記検出された相互に接して配置された文字領域を、一の文字領域として設定する設定手段と、を備えたことを特徴とする文書処理装置が提供される。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、本発明によれば、複数の文字領域を含む文書を処理するための文書処理方法であって、前記文字領域のうち、相互に接して配置された文字領域を検出する検出工程と、前記検出された相互に接して配置された文字領域を、一の文字領域として設定する設定工程と、を含むことを特徴とする文書処理方法が提供される。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
また、本発明によれば、複数の文字領域を含む文書を処理するために、コンピュータを、前記文字領域のうち、相互に接して配置された文字領域を検出する検出手段、前記検出された相互に接して配置された文字領域を、一の文字領域として設定する設定手段、として機能させるプログラムを記録した記録媒体が提供される。
【手続補正書】
【提出日】平成19年8月27日(2007.8.27)
【手続補正１】
【補正対象書類名】明細書
【補正対象項目名】特許請求の範囲
【補正方法】変更
【補正の内容】
【特許請求の範囲】
【請求項１】
被加工物を基板上に形成し、
前記被加工物上にレジストを塗布し、
前記レジストに第１の露光手段によって第１のパターンを形成し、
前記第１のパターンの一部に、前記第１の露光手段と異なる第２の露光手段によって第２のパターンを形成することを特徴とする半導体装置の作製方法。
【請求項２】
被加工物を基板上に形成し、
前記被加工物上にレジストを塗布し、
前記レジストの第１の領域と第２の領域を第１の露光手段によって露光して、前記第１の領域と前記第２の領域との間に第１のパターンを形成し、
前記第１のパターンの一部である第３の領域と第４の領域を、前記第１の露光手段と異なる第２の露光手段によって露光して、前記第３の領域と前記第４の領域との間に第２のパターンを形成することを特徴とする半導体装置の作製方法。
【請求項３】
被加工物を基板上に形成し、
前記被加工物上にレジストを塗布し、
前記レジストに第１の露光手段によって第１のパターンを形成し、
前記第１のパターンの一部に、前記第１の露光手段と異なる第２の露光手段によって第２のパターンを形成し、
前記第１の露光手段における解像度と前記第２の露光手段における解像度が異なることを特徴とする半導体装置の作製方法。
【請求項４】
被加工物を基板上に形成し、
前記被加工物上にレジストを塗布し、
前記レジストの第１の領域と第２の領域を第１の露光手段によって露光して、前記第１の領域と前記第２の領域との間に第１のパターンを形成し、
前記第１のパターンの一部である第３の領域と第４の領域を、前記第１の露光手段と異なる第２の露光手段によって露光して、前記第３の領域と前記第４の領域との間に第２のパターンを形成し、
前記第１の露光手段における解像度と前記第２の露光手段における解像度が異なることを特徴とする半導体装置の作製方法。
【請求項５】
請求項１乃至請求項４のいずれか一において、
前記第１の露光手段における露光範囲と前記第２の露光手段における露光範囲が異なることを特徴とする半導体装置の作製方法。
【請求項６】
請求項１乃至請求項５のいずれか一において、
前記第１の露光手段における露光装置と前記第２の露光手段における露光装置が異なることを特徴とする半導体装置の作製方法。
【請求項７】
請求項１乃至請求項６のいずれか一において、
前記第１の露光手段においてミラープロジェクションを用い、前記第２の露光手段においてステッパを用いることを特徴とする半導体装置の作製方法。
【請求項８】
請求項１乃至請求項７のいずれか一において、
前記第１のパターンの最小線幅と前記第２のパターンの最小線幅が異なることを特徴とする半導体装置の作製方法。
【請求項９】
請求項１乃至請求項８のいずれか一において、
前記被加工物に、半導体膜、導電膜又は絶縁膜を用いることを特徴とする半導体装置の作製方法。
【請求項１０】
請求項１乃至請求項９のいずれか一において、
前記基板に、石英基板、ガラス基板、プラスチック基板又は半導体基板を用いることを特徴とする半導体装置の作製方法。
【手続補正書】
【提出日】平成18年11月21日(2006.11.21)
【手続補正１】
【補正対象書類名】明細書
【補正対象項目名】請求項１０
【補正方法】変更
【補正の内容】
【請求項１０】
表示画面を備えるコンピュータ装置においてコマンドを生成するための方法であって、前記方法が、
メインタッチセンシング領域内の検出された位置に応じて第１の態様で位置を示すコマンドを生成するステップと、
専用のタッチセンシング領域内の検出された位置に応じて第２の態様で位置を示すコマンドを生成するステップと
を含んでなる方法。
【手続補正２】
【補正対象書類名】明細書
【補正対象項目名】請求項１１
【補正方法】変更
【補正の内容】
【請求項１１】
前記第２の態様は、示された位置に応じて専用機能を実施することを含んでいる、請求項１０に記載の方法。
【手続補正書】
【提出日】平成19年5月14日(2007.5.14)
【手続補正１】
【補正対象書類名】明細書
【補正対象項目名】０００３
【補正方法】変更
【補正の内容】
【０００３】
前記シートと基板の貼り合わせは、基板上にシートを重ね合わせた状態で、シートの外表面に弾性ローラーを垂直に動作させニップしたり、また板カムを使用して弾性ローラーを斜めに降下させてニップ動作させる方法で行われていた。
尚、本発明に関する、光ディスク基板の貼り合わせについては例えば下記特許文献１に記載のものが提案され、またロールニップ圧測定方法については下記特許文献２に記載のものが提案されている。
【特許文献１】特開平１０−２０８３１８号公報
【特許文献２】特開平５−１８０７１０号公報
【手続補正書】
【提出日】平成18年12月1日(2006.12.1)
【手続補正１】
【補正対象書類名】明細書
【補正対象項目名】特許請求の範囲
【補正方法】変更
【補正の内容】
【特許請求の範囲】
【請求項１】  二酸化マンガンおよびオキシ水酸化ニッケルの少なくとも一方を活物質として含有する正極合剤を用いたアルカリ電池であって、電池組み立て後の正極合剤が水酸化カリウムを含むアルカリ電解液を含有し、前記正極合剤が含有する水分量が、電解液を含めた正極合剤の重量に対して８．４〜１０ｗｔ％であり、電池系内の水分量の合計が、正極活物質１ｇ当たり０．２３〜０．２７５ｇであることを特徴とするアルカリ電池。
【請求項２】  電池組み立て前の正極合剤の密度が３．２〜３．３５ｇ／ｃｍ３であることを特徴とする請求項１に記載のアルカリ電池。
【請求項３】  電池組み立て前の正極合剤が含有するアルカリ電解液について、その水酸化カリウム濃度が４０ｗｔ％以上であることを特徴とする請求項１または２に記載のアルカリ電池。
【請求項４】  電池組み立て後の正極合剤が含有するアルカリ電解液について、そのカリウム量と水分量とから求まる水酸化カリウム濃度が３５〜３９．５ｗｔ％であることを特徴とする請求項１〜３のいずれかに記載のアルカリ電池。
【請求項５】  アルカリ電解液が亜鉛化合物を含有していることを特徴とする請求項１〜４のいずれかに記載のアルカリ電池。
【請求項６】  亜鉛合金粉末を負極活物質として用い、かつ２００メッシュのふるい目を通過する亜鉛合金粉末の割合が４〜４０ｗｔ％であることを特徴とする請求項１〜５のいずれかに記載のアルカリ電池。
【請求項７】  亜鉛合金粉末がインジウム、ビスマスおよびアルミニウムを含有することを特徴とする請求項６に記載のアルカリ電池。
【請求項８】  インジウム、ビスマスおよびアルミニウムの含有量が、それぞれ０．０３〜０．０７ｗｔ％、０．００７〜０．０２５ｗｔ％および０．００１〜０．００４ｗｔ％であることを特徴とする請求項７に記載のアルカリ電池。
【請求項９】  二酸化マンガンおよびオキシ水酸化ニッケルの少なくとも一方と水酸化カリウムを溶解したアルカリ電解液とを含有する正極合剤を用いてアルカリ電池を組み立てるアルカリ電池の製造方法であって、電池組み立てに使用する正極合剤中に含有させる水酸化カリウムの量を、電解液を含めた正極合剤の重量に対して２．４〜４ｗｔ％とし、電池組み立て後の正極合剤が含有する水分量を、電解液を含めた正極合剤の重量に対して８．４〜１０ｗｔ％とすることを特徴とするアルカリ電池の製造方法。
【請求項１０】  二酸化マンガンおよびオキシ水酸化ニッケルの少なくとも一方と水酸化カリウムを溶解したアルカリ電解液とを含有する正極合剤を用いてアルカリ電池を組み立てるアルカリ電池の製造方法であって、電池組み立てに使用する正極合剤中に含有させる水分の量を、電解液を含めた正極合剤の重量に対して３．０〜４．２ｗｔ％とし、電池組み立て後の正極合剤が含有する水分量を、電解液を含めた正極合剤の重量に対して８．４〜１０ｗｔ％とすることを特徴とするアルカリ電池の製造方法。
【請求項１１】  電池組み立て前の正極合剤が含有するアルカリ電解液について、その水酸化カリウム濃度が４０ｗｔ％以上であることを特徴とする請求項９または１０に記載のアルカリ電池の製造方法。
【請求項１２】  電池組み立て後の正極合剤が含有するアルカリ電解液について、そのカリウム量と水分量とから求まる水酸化カリウム濃度が３５〜３９．５ｗｔ％であることを特徴とする請求項９〜１１のいずれかに記載のアルカリ電池の製造方法。
【請求項１３】  電池系内の水分量の合計を、正極活物質１ｇ当たり０．２３〜０．２７５ｇとしたことを特徴とする請求項９〜１２のいずれかに記載のアルカリ電池の製造方法。
【請求項１４】  ３５〜７０℃の温度下で正極合剤を形成することを特徴とする請求項９〜１３のいずれかに記載のアルカリ電池の製造方法。
【手続補正２】
【補正対象書類名】明細書
【補正対象項目名】００１３
【補正方法】変更
【補正の内容】
【００１３】
【課題を解決するための手段】
本発明のアルカリ電池は、二酸化マンガンおよびオキシ水酸化ニッケルの少なくとも一方を活物質として含有する正極合剤を用いたアルカリ電池であって、電池組み立て後の正極合剤が水酸化カリウムを含むアルカリ電解液を含有し、前記正極合剤が含有する水分量が、電解液を含めた正極合剤の重量に対して８．４〜１０ｗｔ％であり、電池系内の水分量の合計が、正極活物質１ｇ当たり０．２３〜０．２７５ｇであることを特徴とする。